(57)【特許請求の範囲】
【請求項１】
遊技盤に設けられた遊技装置内に遊技球の流下経路と、該流下経路の上流部に遊技球を検出する時間設定スイッチと、該時間設定スイッチよりも下流部に、前記流下経路に入り前記時間設定スイッチによって検出された遊技球を一球のみ停止させ、該一球の遊技球を停止させることによって前記流下経路に入ろうとする次の遊技球を前記流下経路以外に導き、前記時間設定スイッチによって前記次の遊技球が検出されないようにするストッパと、該ストッパよりも下流部に遊技球を検出する時間判定スイッチを設け、
前記時間設定スイッチによる遊技球の検出に伴なって所定の時間が設定され、
前記ストッパの解除により前記検出された一球の遊技球が前記流下経路に流下開始すると共に、該流下する遊技球の流下時間がカウントされ、
前記流下開始から前記時間判定スイッチによって検出されるまでカウントされた前記流下経路を流下する遊技球の流下時間が、前記所定の時間内であると判定されたときに、前記遊技盤に配置されている入賞口を所定時間開放する権利が発生されるようにしたことを特徴とするパチンコ機。
【請求項２】
前記時間設定スイッチと前記時間判定スイッチとの間の流下経路に、前記ストッパの解除により流下してきた遊技球を受け止めさらに下流部に流下させる可動体を設けたことを特徴とする請求項１記載のパチンコ機。
【請求項３】
前記時間設定スイッチと前記時間判定スイッチとの間の流下経路に時間変更スイッチを設け、該時間変更スイッチを遊技球が通過することに伴ない予め設定された複数の時間の中からいずれかの時間が選択され、該選択された時間が前記時間設定スイッチによる前記遊技球の検出に伴なって設定された時間に加算され、前記時間設定スイッチによる前記遊技球の検出に伴なって設定された時間が変更されることを特徴とする請求項１または請求項２記載のパチンコ機。
【請求項４】
時間変更スイッチによる設定時間の変更を、設定時間の増減として報知する報知手段を設けたことを特徴とする請求項３記載のパチンコ機。
【発明の詳細な説明】
【０００１】
【発明の属する技術分野】
本発明は、遊技球の入賞により、役物が作動し、役物により特定条件を達成したときに権利発生（大当り）となる種類のパチンコ機に関するものである。
【０００２】
【従来の技術】
従来、複数の図柄を所定の窓内で表示させ、図柄の変動（役物の動き）を楽しませるパチンコ機が知られている。このパチンコ機は、遊技球が特定の入賞口に入って図柄を変動させるスイッチをオンさせることにより、一連の動作がスタートする。
【０００３】
上記のパチンコ機では、一例として、図９に示すように、遊技盤１に図柄表示装置２が設けられ、図柄表示装置２の直下には第１始動口３が取付けられている。さらに第１始動口３の下方に、Ｖゾーン４を備えた開閉可能な特定入賞口５が取付けられている。また、図柄表示装置２の側方には第２始動口６が取付けられると共にその下方に開閉可能な大入賞口７が設けられている。
【０００４】
このパチンコ機の盤面の動きは、遊技球が第１始動口３に入るとスイッチが作動し、このスイッチによって図柄が変動して、所定時間後に停止した図柄が特定の図柄で合致したときに特定入賞口５が所定時間（数秒）開放される。このときに他の遊技球がＶゾーン４に入ると権利が発生し、その後、第２始動口６に入る遊技球が有効に検出され、大入賞口７が所定時間（数十秒）開放される（大当り）。
この他にも、特定の図柄が揃ったときに大当り（入賞口開放）となるパチンコ機も製作されている。
従来のパチンコ機では、遊技球が第１始動口３に入って図柄を変動させた後の各部の作動は、パチンコ機内部に設置した制御装置（ＣＰＵ）によって制御される。なお、電気回路的には図柄表示装置２は、通常、端末回路になる。
【０００５】
【発明が解決しようとする課題】
このように、図柄表示装置２を備えた従来のパチンコ機では、遊技球が第１始動口３に入るまで、または、遊技球が第１始動口３に入った後で変動図柄が停止するまで等において、遊技者が集中して盤面を注目する可能性があるが、それ以外（大当り確率等）は盤面内部に設置した制御装置の目に見えない制御によるところが多く、遊技者の興味を維持する情報が少ないものであった。
【０００６】
本発明は、パチンコ機盤面の遊技球の動き、遊技球の流下時間に関わる情報等をリアルタイムで確実に遊技者に情報として提供できる機構を採用したパチンコ機を提供することを目的とする。
【０００７】
【課題を解決するための手段】
本発明は上記目的を達成するために、請求項１の発明は、遊技盤に設けられた遊技装置内に遊技球の流下経路と、該流下経路の上流部に遊技球を検出する時間設定スイッチと、該時間設定スイッチよりも下流部に、前記流下経路に入り前記時間設定スイッチによって検出された遊技球を一球のみ停止させ、該一球の遊技球を停止させることによって前記流下経路に入ろうとする次の遊技球を前記流下経路以外に導き、前記時間設定スイッチによって前記次の遊技球が検出されないようにするストッパと、該ストッパよりも下流部に遊技球を検出する時間判定スイッチを設け、前記時間設定スイッチによる遊技球の検出に伴なって所定の時間が設定され、前記ストッパの解除により前記検出された一球の遊技球が前記流下経路に流下開始すると共に、該流下する遊技球の流下時間がカウントされ、前記流下開始から前記時間判定スイッチによって検出されるまでカウントされた前記流下経路を流下する遊技球の流下時間が、前記所定の時間内であると判定されたときに、前記遊技盤に配置されている入賞口を所定時間開放する権利が発生されるようにしたことを特徴とする。
このように構成することにより、設定時間内に遊技球が時間判定スイッチに到達するか否かに遊技者の関心が高まり、遊技球の動作が注目される。
また、時間設定スイッチが遊技球を検出した位置において、該ストッパにより一旦遊技球を貯留するので、遊技球の落下スタート時を注目することができ、遊技者は表示装置に表示される設定時間を確実に認識することができる。
【０００８】
請求項２の発明は請求項１記載の発明において、前記時間設定スイッチと前記時間判定スイッチとの間の流下経路に、前記ストッパの解除により流下してきた遊技球を受け止めさらに下流部に流下させる可動体を設けたことを特徴とする。
このように構成することにより、可動体によって流下経路を流下する遊技球の流下時間に変化を与えるため、遊技球の流下時間は偶然性を含むこととなり、一つ一つの遊技球に対し、設定時間内に第２の検出スイッチに到達できるかどうかといった期待と不安感を誘発させる。
【０００９】
請求項３の発明は、請求項１または請求項２記載の発明において、前記時間設定スイッチと前記時間判定スイッチとの間の流下経路に時間変更スイッチを設け、該時間変更スイッチを遊技球が通過することに伴ない予め設定された複数の時間の中からいずれかの時間が選択され、該選択された時間が前記時間設定スイッチによる前記遊技球の検出に伴なって設定された時間に加算され、前記時間設定スイッチによる前記遊技球の検出に伴なって設定された時間が変更されることを特徴とする
このように構成することにより、時間変更スイッチが遊技球を検出したときに設定時間が変更されるので、遊技者は入賞の機会が多くなる制御へ移行することへの期待感を持つことができる。
【００１０】
請求項４の発明は請求項３に記載の発明において、第３のスイッチによる設定時間の変更を、設定時間の増減として報知する報知手段を設けたことを特徴とする。
このように構成することにより、遊技者は設定時間の増加あるいは減少を確実に認識できる。
【００１３】
【発明の実施の形態】
以下、本発明の実施の形態を添付図面に基づいて説明する。
図３には、パチンコ機の全体が示されており、遊技者の興味を引き起こすように遊技盤１に趣向を凝らしている。図３に示す遊技盤１には、興味を引き起こすものの一例として中央に遊技装置８を設置している。この遊技装置８の左側には第１始動口３が設けられ、遊技装置８の右側には第２始動口６が設けられている。また、遊技装置８の上方位置には図柄の変動可能な表示装置９が設置され、４桁の数字を表示するようになっている。また、遊技装置８の上部には特定入賞口５が設置され、遊技装置８の下部には大入賞口７が設けられている。なお、表示装置９の表示は液晶ディスプレイやドットマトリクスディスプレイでもよい。
【００１４】
次に、遊技装置８について説明する。
図１に示すように、遊技装置８の上部に設けた特定入賞口５は、鎖線で示すように閉じた状態であっても遊技球が入る間隔を有している。特定入賞口５には遊技球を検出する時間設定スイッチ（第１の検出スイッチ）１０が並設され、特定入賞口５の直下位置には落下してくる遊技球を一旦受け止めるストッパ片１１が設けられている。また、遊技装置８の内部には特定入賞口５を上流部とする遊技球の流下経路が形成され、流下経路の下流部には落下してくる遊技球を検出する時間判定スイッチ（第２の検出スイッチ）１２が設けられている。また、流下経路は遊技球がその内部を流下する速度を抑えるため、摩擦係数の高い部材によって形成されている。
【００１５】
遊技球の流下経路には、図１および図２に示すように、ストッパ片１１を通過した遊技球の流下運動を干渉する可動体、すなわち、回転盤１３が設置されており、この回転盤１３の外周面に複数の短穴１４と一つのＬ状長穴１５が形成されている。そして、複数の短穴１４またはＬ状長穴１５に遊技球が入るときは、落下してきた遊技球がストッパ片１１の直下に設けたバー１６上を滑って入り込むことになる。
【００１６】
回転盤１３は右回りに回転されており、短穴１４に入った遊技球は短穴１４が流下経路の右側通路１７に臨んだときに落下し、Ｌ状長穴１５に入った遊技球は右側通路１７に臨んだときはＬ状長穴１５内に係止されたままであり、回転盤１３がさらに回転してＬ状長穴１５が流下経路の左側通路１８に臨んだときに、遊技球は落下して左側通路１８から流下する。また、回転盤１３の回転速度は段階的に変更可能である。例えば、高速（３０ｒｐｍ）と低速（１０ｒｐｍ）の２段に変えられるようにする。
【００１７】
流下経路の右側通路１７には遊技球を検出する時間変更スイッチ（第３のスイッチ）１９が設けられており、時間変更スイッチ１９が遊技球を検出することによって、時間設定スイッチ１０で設定された設定時間をランダムな数で増加あるいは減少するようになっている。また、設定時間の変更を報知する報知手段として、時間判定スイッチ１２の右側に増加ランプ２０、左側に減少ランプ２１が設けられている。
【００１８】
図１に示すように、流下経路の下流部に設けられた時間判定スイッチ１２の下方には円盤状の判定装置２２が設けられており、判定装置２２の上部の穴２２ａに遊技球が入ったとき、設定時間内に遊技球が下流部、すなわち時間判定スイッチ１２まで到達したか否かの判定にしたがって、Ｖゾーン４に遊技球を落下させるように右に回転するか、あるいは左に回転してアウト孔に遊技球を落下させる。判定装置２２は遊技球を落下させた後、逆回転して穴２２ａを元位置に戻すか、あるいは、１回転させて穴２２ａを元位置に戻すようになっている。
遊技球がＶゾーン４に入賞したときには権利が発生し、その後、第２始動口６に他の遊技球が入ると大入賞口７が開いて大当りとなる。
【００１９】
次に、以上説明した本発明の実施の形態にかかる遊技盤１の遊技形態を図５および図６のフローチャートを参照して説明する。
スタートすると、パチンコ機の盤面の待機形態が低確率時か否かが判定される（ステップＳ１）。この判定は確率変動制御に対応させたものであり、通常は低確率となっている。ステップＳ１の判定により、回転盤１３は高確率時には高速（３０ｒｐｍ）に設定され（ステップＳ２）、低確率時には低速（１０ｒｐｍ）に設定される（ステップＳ３）。（この回転盤１３の回転速度の設定による遊技への影響は後述する。）
【００２０】
遊技球が第１始動口３に入賞する（ステップＳ４）と特定入賞口５が数秒間開き（ステップＳ５）、遊技球の特定入賞口５への入賞確率が高くなる。特定入賞口５へ遊技球が入ると、時間設定スイッチ１０により遊技球を検出し（ステップＳ６）、表示装置９により遊技球が流下経路の下流部に到達するまでの設定時間が時間データとして表示される（ステップＳ７）。また、ステップＳ６の段階でストッパ片１１によって遊技球はこの場に一旦留まっており、特定入賞口５へ遊技球が２つ以上入っても、時間設定スイッチ１０はストッパ片１１に留まっている最初の遊技球のみを検出すると共に２つ目以降の遊技球をアウト口（図示略）に導くことにより、確実に一球毎に流下経路に落下させるようになっている。
【００２１】
ストッパ片１１が解除されると（ステップＳ８）、遊技球が流下経路に落下され、同時に、ステップＳ７において設定した設定時間の表示はカウントダウンされる。遊技球はバー１６に当たって回転盤１３に形成した複数の短穴１４もしくはＬ状長穴１５のいずれかに進入する。回転盤１３の短穴１４に遊技球が入った場合は右側通路１７の時間変更スイッチ１９により遊技球が検出される（ストッパＳ９）。遊技球がＬ状長穴１５に入った場合は左側通路１８を通り流下経路下流部の時間判定スイッチ１２に到達する。
【００２２】
このように、遊技球の流下運動はバー１６および回転盤１３に干渉されて落下時間がまちまちになる。なお、ストッパ片１１を解除して遊技球が流下経路に落下したことにより、ストッパ片１１が元に戻り流下経路入口を閉じる。なお、遊技装置８に設置したバー１６により遊技球の流下時間がまちまちになる可能性が大きいが、バー１６の代わりに、クルーン等の他の干渉部材を遊技装置８に設置しても良い。
【００２３】
時間変更スイッチ１９により遊技球が検出されたとき（ステップＳ９のＹｅｓ）、設定時間の増加または減少が実行され、この情報は表示装置９に演算結果として表示され、かつ、カウントダウンが継続される。また、設定時間が増加した場合は増加ランプ２０が点灯し、設定時間が減少した場合は減少ランプ２１が点灯する。この点灯時間は少なくとも遊技球が時間判定スイッチ１２を通過するまで点灯する。したがって、増加ランプ２０あるいは減少ランプ２１が点灯状態になることにより遊技者は設定時間の増減を確実に知ることができる
【００２４】
盤面が確率変動態様に設定されている場合、ステップ９のＹｅｓにおいて、高確率時か否かが判定される（ステップＳ１０）。そして、後述するように、高確率時ではプラスバイアスの枠内で設定時間を増減し（ステップＳ１１）、低確率時ではマイナスバイアスの枠内で設定時間を増減する（ステップＳ１２）。
なお、高確率時においては、特に、増加ランプ２０および減少ランプ２１は確率変動ランプ（２１，２２）として作動することになる。また、この実施の態様では、ステップＳ１０において確率変動態様により、設定時間の増減を決定しているが、これに限らずランダムに設定時間の増減を決定してもよい。
【００２５】
遊技球が左側通路１８あるいは右側通路１７を通って流下経路の下流部に到達すると、遊技球は時間判定スイッチ１２に検出される（ステップＳ１３）と共に判定装置２２に形成される穴２２ａに貯留される。流下経路の下流部に到達したとき、表示装置９はカウントダウン表示を停止させ、到達の所要時間がそのまま表示される。この時間情報の表示により遊技者は判定の確認をすることができる。この判定により入賞機会が多くなることが期待されるので、設定時間内に遊技球が時間判定スイッチ１２に到達するか否かに遊技者の関心が高まり、遊技球の動作が注目される
【００２６】
遊技球が設定時間内に到達したか否かを判定し（ステップＳ１４）、遊技球が「設定時間内に到着」と判定されていると、判定装置２２が右回りして（ステップＳ１５）遊技球をＶゾーン４に入賞させる（ステップＳ１６）。逆に判定結果が「設定時間外到着」であれば判定装置２２が左回りして遊技球はアウト穴に入る（ステップＳ１７）。
【００２７】
ステップＳ１６において、Ｖゾーン４に入賞して大当たりの権利が発生すると、第２始動口６が有効になり、大役処理（ステップＳ１８）が可能になる。また、大役が終了すれば（ステップＳ１９）通常の初期設定状態に戻る（リターン）。なお、大役中は流下経路の動作は影響されないようになっている。
【００２８】
大役処理（ステップＳ１８）については、図６を参照して説明する。
まず、第２始動口６に遊技球が入賞するとこれを検出し（ステップＳ２０）、大当り（ステップＳ２１）となって大入賞口７が所定時間開放される。大入賞口７に所定数の遊技球が入ると閉じられるが、引き続き、第２始動口６に遊技球が入ると大入賞口７が所定時間開放される。これを所定回数繰り返し、第２始動口６に遊技球が有効な設定個数だけ入賞すると、大当たりの権利が解除され（ステップＳ２２）、初期の設定状態に戻る（リターン）。
【００２９】
次に本発明における他の実施の形態について説明する。
この実施の形態では、図３に示した実施の形態における増加ランプ２０および減少ランプ２１を、確率変動を告知する表示ランプとして使用し、高確率時と低確率時において点灯点滅の表現を異ならせている。例えば、高確率時には全ランプが明るく点滅し低確率時には消灯もしくはランプが一つずつ点灯したり消灯したりするように配線する。また、ランプ群は左右に配置されているので、点灯方法は、点灯、点滅、消灯、右側だけ点滅、左側だけ点灯という表現を組み合わせて多くの情報を報知できる。
【００３０】
また、この実施の形態の制御としては、図５に示すフローチャートを参照して説明する。
まず、ステップＳ１において、低確率であるか否かが判定される。これは、盤面の遊技形態が高確率時と低確率時とでは初期の遊技形態を異ならせるようにしたもので、高確率時では回転盤１３の回転速度を高速にし（ステップＳ２）、低確率時では回転盤１３の回転速度を低速に設定する（ステップＳ３）。
【００３１】
また、図５に示すフローチャートのステップＳ９において、遊技球が時間変更スイッチ１９を通過したとき、ステップＳ１０に置いて現在の盤面の遊技形態が高確率時であるか否かが判定され、高確率状態であれば、時間変更比率を設定時間に対しマイナス側へ３０％、プラス側へ７０％と枠指定をし（ステップＳ１１）、この間から設定時間を変更するための時間（時間変更数値）を選択して設定時間に加算する。また、低確率状態であれば、時間変更比率を設定時間に対しマイナス側へ７０％、プラス側へ３０％と枠指定をし（ステップＳ１２）、この間から時間変更数値を選択して設定時間に加算する。
【００３２】
時間変更スイッチ１９により再設定された設定時間は表示装置９に表示され、そのままカウントダウンされる。
【００３３】
遊技球が時間判定スイッチ１２に到達したとき、図５のフローチャートにおいて、時間判定スイッチ１２により遊技球が設定時間内に到達したと判定されたとき（ステップＳ１４のＹｅｓ２）、図５のＡの経路に進み、確率変動の判定を行う。すなわち、ステップＳ２３に移行して、遊技球が時間判定スイッチ１２に設定時間よりｔ秒（例えば３秒）以上早く到達したか否かの判定を下し、イエス（Ｙｅｓ）であれば高確率状態を設定し（ステップＳ２４）、ノウ（Ｎｏ）であれば低確率状態を設定する（ステップＳ２５）。
【００３４】
その後、判定装置２２は右回りして（ステップＳ１５）遊技球はＶゾーン４に送られることになり、権利発生が得られる（ステップＳ１６，１８）。そして、一連の大役処理が終了した時点（ステップＳ１９）で遊技装置８は上記のいずれかの確率状態に設定される。
そして、高確率状態設定では、回転盤１３が速く回転し（ステップＳ２）、時間変更スイッチ１９では変更数値がプラス側に偏るので（ステップＳ１１）、遊技球が設定時間内に時間判定スイッチ１２に到達する確率が高まるので、遊技性が向上する。
【００３５】
次に本発明において、さらに、他の実施の形態について図４を参照して説明する。
図４に示す遊技盤１は図３の遊技盤１に対し、遊技装置８の下方に第１始動口３および大入賞口７が設置され、大入賞口７の内部に継続入賞口（Ｖゾーン）６ａが設けられている点で相違している。
【００３６】
図４に示す実施の形態では、第１始動口３に遊技球が入賞すると、表示装置９が変動開始し、遊技球が流下経路を落下するのに要求される設定時間が表示される。また、特定入賞口５も所定時間開放される。
遊技球が特定入賞口５に入ると、図３に示す遊技盤１の機能と同様に、ストッパ片１１が開放されて遊技球が落下すると同時にカウントダウン表示となる。遊技球が所定時間内に特定入賞口５に入らない場合、表示はリセットされてその後の制御機能にしたがって表示される。
【００３７】
遊技球が所定時間内に流下経路の下流部に到達すると、時間判定スイッチ１２が遊技球を検出して設定時間と比較される。設定時間内であれば大当りとなって大入賞口７が開放される。なお、以降の遊技球の処理は前述した遊技盤１の機能と同じである。また、時間変更スイッチ１９が遊技球を検出したときには、設定時間が変更され、第１始動口３に遊技球が入ることにより表示される表示装置９の時間表示も追従して表示される。
このように、第１始動口３に入っただけで設定時間が分かることは期待感が生まれ易くなり、遊技性を向上させる。
【００３８】
次に、図７のフローチャートを参照して、図４に係るさらに他の実施の形態を説明する。
図３に示した実施の形態における表示装置９は、最初に、遊技球が流下経路に到達する設定時間が表示されたが、図７に示す制御では、予め設定された図柄に表示装置９の変動図柄が合致しているか否かが最初に判定され、これの判定によって特定入賞口５が開放されることになる。その他の機能は図３で示した遊技盤１の制御と同様である。
【００３９】
すなわち、図７のフローチャートに示すように、第１始動口３に遊技球が入賞すると（ステップＳ２６）、表示装置９が図柄を変動させ、所定時間後に停止した（ステップＳ２７）ときに、この実施の形態の制御において予め設定された図柄（例えば、Ｆ３３３、Ｆ７７７等の特定図柄）であるか否かが判定され（ステップＳ２８）、図柄が一致したときに（ステップＳ２８のＹｅｓ）特定入賞口５が開放される（ステップＳ２９）。
【００４０】
図柄が一致していないとき（ステップＳ２８のＮｏ）はステップＳ２６へ戻る。また、特定入賞口５に遊技球が入らない場合（ステップＳ３０のＮｏ）もステップＳ２６へ戻る。そして、特定入賞口５に遊技球が入れば（ステップＳ３０のＹｅｓ）図柄を設定時間の時間データとして再定義して表示する（ステップＳ３１）。つまり表示装置９に停止表示された図柄がＦ３３３の場合には３．３３秒が設定時間と告知できる。
【００４１】
表示装置９に設定時間が表示されるまで、遊技球はストッパ片１１に載置されており、ストッパ片１１を外すことにより遊技球は流下経路を落下していく。このときに、表示されている設定時間のカウントダウン表示を行う（ステップＳ３２）。
【００４２】
これ以降、遊技球の動きおよび遊技盤１の機能は図５のフローチャートで説明したものと同様であるが、設定時間内に遊技球が時間判定スイッチ１２に到達した場合は（ステップＳ１４）すぐに大役処理（ステップＳ１８）とするので、権利発生から第２始動口６に遊技球が入る（大当り）までの遊技時間が省略され遊技の興味が倍加する。
以上の実施の形態によるパチンコ機においては、図５のフローチャートで説明したパチンコ機より更に優れた以下の遊技性を奏する。つまり、停止した図柄が予め設定された図柄（特定図柄）である場合に、該図柄はそのまま設定時間となる時間データに再定義され、また、特定図柄は複数種類あるので遊技者にとって有利となる度合いが停止図柄によって異なり、しいては、遊技興趣を増すことができる。
【００４３】
次に、図７に係る実施の形態を一部変更したさらに他の実施の形態について説明する。
図８（ａ），（ｂ）のフローチャートに示すように、図７に係る実施の形態と異なる個所は、設定図柄の表示内容とこれに伴う回転盤１３の回転速度の変更手段である。
ここで、図３及び図４の遊技盤１において、表示装置９の図柄は４桁の数字を表せるようになっているので、一番左側の桁を回転速度決定図柄と設定し、後の３桁を時間表示図柄と設定する。なお、回転速度決定図柄はＨ（高速回転）とＬ（低速回転）の２種類のみとする。
【００４４】
図８（ａ）のフローチャートに示すように、第１始動口３に遊技球が入賞して図柄が所定時間変動後、停止したとき（ステップＳ２６，Ｓ２７）、停止図柄の判定を行うが（ステップＳ２８）、回転速度決定図柄および時間表示図柄を合わせた図柄は、Ｈ７７７、Ｌ３３３，Ｈ３６９，Ｌ１１１等が表示される。このとき、時間表示図柄が予め設定された図柄（特定図柄となる、Ｌ１１１〜Ｌ９９９、Ｈ１１１〜Ｈ９９９等）と一致していれば回転盤１３の回転速度制御を行う（ステップＳ３３）。そして、図８（ｂ）のフローチャートに示すように、回転速度決定図柄が判定され（ステップＳ３４）、図柄がＨであれば高速回転制御を行い（ステップＳ３５）、図柄がＬであれば低速回転制御を行う（ステップＳ３６）ことになる。
【００４５】
このように、表示装置９の表示内容が回転盤１３の機能を報知し、遊技者は表示装置９の表示を確認することで回転盤１３がどのような状態になっているかが分かり、確信的な雰囲気が得られ遊技性の向上が期待できるものである。
【００４６】
【発明の効果】
本発明は以上述べた通りであり、請求項１に記載の発明では、パチンコ機の遊技盤に設けられた遊技装置は内部に遊技球の流下経路が形成され、遊技装置内の流下経路の上流部から下流部までの流下時間を第２の検出スイッチにより判定する。第２の検出スイッチにより設定時間内であると判定したときに、遊技球の入賞機会を増加させる制御を行うようにしたので、この判定により入賞機会が多くなることが期待され、設定時間内に遊技球が第２の検出スイッチに到達するか否かに遊技者の関心が高まり、遊技球の動作が注目され、遊技への興味を引き付けることが可能になる。また、第１の検出スイッチとストッパを併設したので、第１の検出スイッチが遊技球を検出した位置で遊技球を貯留し、遊技球の落下スタート時に注目することができる。また、遊技者は遊技球の動きと表示装置に表示される設定時間にを対応させることができるので、遊技性を向上させる。
【００４７】
請求項２に記載の発明では、第１の検出スイッチと第２の検出スイッチとの間の遊技球の流下経路に設けた可動体によって流下経路を流下する遊技球の流下運動を干渉するため、遊技球が流下する所要時間がまちまちになり設定時間内に第２の検出スイッチに到達できるかどうかといった期待、不安感を誘発し、偶然性を備え、遊技性を向上させる。
請求項３に記載の発明では、遊技球が第１の検出スイッチと第２の検出スイッチとの間の流下経路を流下中、第３のスイッチに検出されると、遊技球が流下するための設定時間が変更される。第３のスイッチは設置個所がわかっているので、遊技球がそこを通過することの期待感を生じ、遊技者は入賞を増加させる制御への移行を期待することができ、遊技への興趣を高めることができる。
【００４８】
請求項４に記載の発明では、報知手段によって、第３のスイッチによる設定時間の変更を、遊技者は増加もしくは減少を区別して認識でき、遊技性を向上させる。
【図面の簡単な説明】
【図１】本発明による実施の形態におけるパチンコ機の遊技盤に装着される遊技装置の模式図である。
【図２】図１に示す遊技装置に備えた可動体（回転盤）の模式図である。
【図３】本発明による実施の形態における遊技盤の正面図である。
【図４】さらに、他の実施の形態における遊技盤の正面図である。
【図５】本発明による遊技装置のフローチャートである。
【図６】本発明の実施の形態における大役処理のフローチャートである。
【図７】他の実施の形態における遊技装置のフローチャートである。
【図８】さらに、他の実施の形態における遊技装置のフローチャートである。
【図９】従来のパチンコ機における遊技盤の模式図である。
【符号の説明】
１  遊技盤
８  遊技装置
９  表示装置
１０  第１の検出スイッチ（時間設定スイッチ）
１１  ストッパ（ストッパ片）
１２  第２の検出スイッチ（時間判定スイッチ）
１３  可動体（回転盤）
１９  時間変更スイッチ
２０，２１  報知手段
【図１】
0003616954.tif 000002
【図２】
0003616954.tif 000003
【図３】
0003616954.tif 000004
【図４】
0003616954.tif 000005
【図５】
0003616954.tif 000006
【図６】
0003616954.tif 000007
【図７】
0003616954.tif 000008
【図８】
0003616954.tif 000009
【図９】
0003616954.tif 000010